(57)【要約】【課題】  コンピュータや各種電子機器の情報表示に利用される表示装置や、その表示装置を使う情報処理装置に関し、良好な運搬性を確保する。【解決手段】  一面に表示画面を有し、その一面に対する背面１３の周縁部に盛り上がった突条線１４を有し、その背面１３がトレー形状に形成された表示部１０と、表示部１０を、上記一面を内側にして開閉自在に支持し、開時には表示部１０を立設させる台として作用する本体部２０と、本体部２０と一体的に広がり、上面に情報入力用の操作子が配置された入力部３０とを備えた。【選択図】        図８
2008033746.tif 000002
【特許請求の範囲】
【請求項１】
一面に表示画面を有し、該一面に対する背面が、該背面の周縁部が盛り上がったトレー形状を有する面であることを特徴とする表示装置。
【請求項２】
一面に表示画面を有し、該一面に対する背面が、該背面の周縁部が盛り上がったトレー形状を有する面である表示部と、
前記表示部を、前記一面を内側にして開閉自在に支持し、開時には該表示部を立設させる台として作用する本体部と、
前記本体部と一体的に広がり、上面に情報入力用の操作子が配置された入力部とを備えたことを特徴とする情報処理装置。
【請求項３】
前記入力部が、前記本体部と物理的に結合、切離し自在であることを特徴とする請求項２記載の情報処理装置。
【請求項４】
前記入力部が、前記操作子の操作情報を前記本体部に無線で送信するワイヤレスキーボードであることを特徴とする請求項３記載の情報処理装置。
【発明の詳細な説明】
【技術分野】
【０００１】
本発明はコンピュータや各種電子機器の情報表示に利用される表示装置や、その表示装置を使う情報処理装置に関する。
【背景技術】
【０００２】
コンピュータを用いた作業においては情報を表示するに表示装置（以下、ディスプレイという）が用いられる。
【０００３】
このコンピュータには、ディスプレイと本体装置が分離されたデスクトップタイプや、ディスプレイ部とキーボードが配置された本体部がヒンジにより連結されたノートタイプ（ラップトップタイプ）等の各種形態がある。
【０００４】
デスクトップタイプのコンピュータは据え置き状態で利用されるため装置サイズをさほど気にする必要はなく、多くの情報を表示して作業効率を向上できるよう大型のディスプレイが利用される。
【０００５】
一方、ノートタイプのコンピュータは、それ１つで作業ができること、ディスプレイ部を本体部に閉じた状態にして不使用時に小サイズ化できることから、主に社外での持ち運び用途で会社員に利用される。しかしながら、持ち運び用途を重視すると、コンピュータのサイズの小型化に伴ってディスプレイ部のサイズも小型化せざるを得なくなり、作業効率が低下することになる。
【０００６】
また、企業においては、ノートタイプのコンピュータを持ち運び、無線ネットワークを利用して会議ができるよう社内のネットワーク環境を充実させている。また、近年は、社員に自席を持たせないフリーレイアウトオフィスを採用している企業も増えており、ますます、社内で移動して仕事を行う状況が増えている。
【０００７】
このように移動して仕事する場合には、コンピュータだけでなく、各種書類や筆記用具なども一緒に持ち歩いている。このように、コンピュータと他の物を一緒に持ち歩く際に、その運搬性を向上できるよう本体部に引き出し可能なトレイをもったノートタイプコンピュータが知られている（例えば、特許文献１参照）。
【特許文献１】特開平０８−０４４４５８号公報
【発明の開示】
【発明が解決しようとする課題】
【０００８】
上述のような従来のコンピュータには以下の問題がある。
（１）デスクトップタイプのコンピュータは、ディスプレイ、本体装置、キーボードなど各ユニットが分離しており、それぞれが大型であるため一緒に持ち運ぶのに難がある。
（２）ノートタイプのコンピュータは、それ単体での可搬性に優れるが、ちょっとした移動のときに一緒に他の物を持ち運ぶ際は不便である。
（３）上述の公知例では、コンピュータのトレイに収納し、コンピュータと一緒に他の物を持ち運ぶことが可能であるが、そのトレイは本体部に引き出し可能に設けられたものである。そのため、コンピュータの本体部を厚くする必要があり、不要にコンピュータを大型化する原因となる。また、トレイ用のスペースを本体部に設ける必要があるため、これもコンピュータを大型化する原因にもなる。
【０００９】
本発明は、上記事情に鑑み、良好な運搬性を確保した表示装置および情報処理装置を提供することを目的とする。
【課題を解決するための手段】
【００１０】
上記目的を達成する本発明の表示装置は、一面に表示画面を有し、その一面に対する背面が、背面の周縁部が盛り上がったトレー形状を有する面であることを特徴とする。
【００１１】
本発明の表示装置は、その背面が、周縁部が盛り上がったトレー形状に形成されているため、この表示装置を持ち運ぶ際にこの表示装置の背面を上にして、その表示装置の背面に各種書類や筆記用具類を載せて一緒に持ち運ぶことができ、良好な運搬性が確保される。
【００１２】
また、上記目的を達成する本発明の情報処理装置は、
一面に表示画面を有し、その一面に対する背面が、該背面の周縁部が盛り上がったトレー形状を有する面である表示部と、
上記表示部を、上記一面を内側にして開閉自在に支持し、開時には表示部を立設させる台として作用する本体部と、
上記本体部と一体的に広がり、上面に情報入力用の操作子が配置された入力部とを備えたことを特徴とする。
【００１３】
本発明の情報処理装置は、表示部が開閉自在であり、また、表示部の背面が、周縁部が盛り上がったトレー形状に形成されているため、この表示部を本体部および入力部の上に閉じ、表示部の背面を上にしてその表示部背面の上に各種書類や筆記用具等を載せて一緒に持ち運ぶことができ、良好な運搬性が確保される。
【００１４】
ここで、上記本発明の情報処理装置において、上記入力部が、上記本体部と物理的に結合、切離し自在であることが好ましい。
【００１５】
情報入力用の操作子が配置された入力部が本体部から切り離し自在であると、その入力部を本体部から離してユーザの使い易い位置に置くことができ、また、本体部は本体部でその本体部に支持された表示部をそのユーザにとって見易い距離に置くことができ、ユーザにとって使い勝手が良いレイアウトを確保することができる。
【００１６】
また、上記の入力部は本体部に結合させることができるため、入力部を本体部に結合させてその上に表示部を閉じた状態にし、良好な運搬性が確保される。
【００１７】
ここで、上記入力部を、本体部と物理的に結合、切り離し自在に構成した場合に、上記入力部が、操作子の操作情報を本体部に無線で送信するワイヤレスキーボードであることが好ましい。
【００１８】
ワイヤレスキーボードとすることにより、煩らわしいコードをなくすことができ、一層良好な使い勝手が確保される。
【発明の効果】
【００１９】
以上の本発明によれば、良好な運搬性が実現する。
【発明を実施するための最良の形態】
【００２０】
以下、本発明の実施形態について説明する。
【００２１】
図１は、本発明の一実施形態としてのパーソナルコンピュータ（以下、「ＰＣ」と略記する）の、開状態の斜視図である。
【００２２】
また、図２、図３は、図１に示すＰＣの開状態の、それぞれ、右側面図および左側面図、図４、図５は、図１に示すＰＣの開状態のそれぞれ、上面図および底面図、図６、図７は、図１に示すＰＣの開状態の、それぞれ、正面図および背面図である。
【００２３】
また、図８は、図１〜図７に開状態を示すＰＣと同一ＰＣの、閉状態の斜視図である。
【００２４】
さらに、図９、図１０は、図８に示すＰＣの閉状態の、それぞれ、上面図および底面図である。
【００２５】
さらに、図１１は、Ｐ１に示すＰＣの開状態の、斜め後ろから見たときの斜視図である。
【００２６】
ここに示すＰＣ１は、図１に示すように、表示部１０と、本体部２０と、入力部３０を有する。
【００２７】
表示部１０は、その表面のほぼ全面に表示画面１１を有し、本体部２０からの指示に応じて、その表示画面１１上に画像を表示する。
【００２８】
また、表示部１０の、開いた状態における上端、すなわち、図８に示すように表示部１０を閉じたときの、その表示部１０の手前側の側面に、鍔部１２が形成されている。この鍔部１２の作用については後述する。
【００２９】
また、本体部２０は、表示部１０を、表示画面１１を有する面を内側にして開閉自在に支持し、開時には表示部１０を立設させる台として作用する。本実施形態では、本体部２０は、図１１に示すように、支持部材４０を介在させて表示部１０を開閉自在に支持している。
【００３０】
この支持部材４０は、表示部１０側の一端部がヒンジ部４１１，４１２により表示部１０の背面を回動自在に支持するとともに、他端部がヒンジ部４２１，４２２により本体部２０に回動自在に支持されている。
【００３１】
ここで、表示部１０側のヒンジ部４１１，４１２は、表示部１０を、フリクションにより、その回動範囲内の任意の角度で支持するものであり、本体部２０側のヒンジ部４２１，４２２も、フリクションにより、その回動範囲内の任意の角度に維持されるものである。したがって、本体部２０は、表示部１０を、支持部材４０を介して、表示画面１１が本体部２０に対し任意の高さ位置かつ任意の角度に保つように支持することができる。
【００３２】
この本体部２０は、ＣＰＵ等が内蔵されていて演算処理を担うものであるが、本実施形態では、磁気ディスク装置等の大容量記憶装置は内蔵されておらず、シンクライアントとして動作するものである。ただし、本発明は、シンクライアントに限られるものではなく、ハードディスク装置等を内蔵したＰＣにも適用することができる。
【００３３】
本実施形態における本体部２０は、図１１に示すように、その奥側の側面に、電源用のＡＣアダプタが接続されるＡＣアダプタ接続部２１、ＬＡＮ（Ｌｏｃａｌ  Ａｒｅａ  Ｎｅｔｗｏｒｋ）用のコネクタが接続されるＬＡＮコネクタ接続部２２、ＵＳＢ（Ｕｎｉｖｅｒｓａｌ  Ｓｅｒｉａｌ  Ｂｕｓ）用のコネクタが接続される、２つのＵＳＢコネクタ接続部２３１，２３２が設けられている。また、本体部２０の奥側の側面には、手で把持してこのＰＣ１を持ち上げるための把っ手２４が設けられている。また、この本体部２０の左右の側面には、このＰＣ１を持ち上げるときの指掛りのための抉られた形状の指掛り部２５１，２５２（図５参照）が設けられている。さらに、この本体部２０の手前側の側面には、入力部３０を結合させるための連結部２６を有する。
【００３４】
また、入力部３０は、上面に情報入力用の複数のキー３１が配列され、それらのキー操作を無線で本体部２０に送信するワイヤレスキーボードであり、この入力部３０の上面の右の奥側の位置に、認証用の指紋センサ３２が設けられている。また、この入力部３０の奥側の側面には、本体部２０の連結部２５と結合する連結部３３が設けられている。
【００３５】
ここで、この入力部３０は、図１に示すような、本体部２０から切り離された状態と、図１１に示すような、その入力部３０の連結部３３を、本体部２０の連結部２５と結合させた状態との双方の状態が可能であり、本体部２０と結合した状態では、本体部２０と一体的に広がるように寸法が定められており、また、図８に示すように、本体部２０とその本体部２０に結合した状態の入力部３０とを合わせた奥行き方向の寸法が、閉時の表示部１０の奥行き方向の寸法と比べ実質的に同一となる寸法に形成されている。
【００３６】
このＰＣ１は、運搬にあたっては、図８に示すように、入力部３０を本体部２０に結合し、さらに、それら入力部３０および本体部２０の上に表示部１０を閉じた、その状態で運搬されるが、本実施形態では、２種類の運搬方法が想定されている。
【００３７】
１つは表示部１０の背面１３を上面にして手前側の端部を腹に当てて指掛り部２５１，２５２を手で持ち上げて運搬する方法であり、例えば、１つの部屋の中での運搬や隣りの部屋への運搬など、比較的短かい距離での運搬に適した運搬方法である。
【００３８】
表示部１０の背面１３は、図８に示すように、その背面１３の周縁部に盛り上がって一周する突条縁１４が設けられており、この背面１３が全体としてトレー形状に形成されている。このため、図８に示すように、その表示部１０の背面１３に筆記用具等を載せても落下しにくく、その背面１３に筆記用具や書類等を載せてこのＰＣ１と一緒に運ぶことができる。
【００３９】
もう１つの運搬方法は、把っ手２４を手で持って、このＰＣ１を縦にして持ち運ぶ運搬方法であり、このＰＣ１を比較的遠距離に運搬するのに適している。
【００４０】
入力部３０を本体部２０に結合させてその上に表示部１０を閉じると、前述した鍔部１２が入力部３０の手前側の側面３４の前面に繰り出して入力部の手前側の側面３４を押さえる。このため、把っ手２４を手で持ってこのＰＣ１を持ち上げても、本体部２０の連結部２６と入力部３０の連結部３３との結合が外れて入力部３０が落下してしまう危険性が回避され、このＰＣ１を安全に運搬することができる。
【図面の簡単な説明】
【００４１】
【図１】本発明の一実施形態としてのパーソナルコンピュータ（以下、「ＰＣ」と略記する）の、開状態の斜視図である。
【図２】図１に示すＰＣの開状態の右側面図である。
【図３】図１に示すＰＣの開状態の左側面図である。
【図４】図１に示すＰＣの開状態の上面図である。
【図５】図１に示すＰＣの開状態の底面図である。
【図６】図１に示すＰＣの開状態の正面図である。
【図７】図１に示すＰＣの開状態の背面図である。
【図８】図１〜図７に開状態を示すＰＣと同一ＰＣの、閉状態の斜視図である。
【図９】図８に示すＰＣの閉状態の上面図である。
【図１０】図８に示すＰＣの閉状態の底面図である。
【図１１】図１に示すＰＣの開状態の、斜め後ろから見たときの斜視図である。
【符号の説明】
【００４２】
１    ＰＣ
１０    表示部
１１    表示画面
１２    鍔部
１３    背面
１４    突状縁
２０    本体部
２１    ＡＣアダプタ接続部
２２    ＬＡＮコネクタ接続部
２３１，２３２    ＵＳＢコネクタ接続部
２４    把っ手
２５１，２５２    指掛り部
２６    連結部
３０    入力部
３１    キー
３２    指紋センサ
３３    連結部
４０    支持部材
４１１，４１２，４２１，４２２    ヒンジ部
【図１】
2008033746.tif 000003
【図２】
2008033746.tif 000004
【図３】
2008033746.tif 000005
【図４】
2008033746.tif 000006
【図５】
2008033746.tif 000007
【図６】
2008033746.tif 000008
【図７】
2008033746.tif 000009
【図８】
2008033746.tif 000010
【図９】
2008033746.tif 000011
【図１０】
2008033746.tif 000012
【図１１】
2008033746.tif 000013